(57)【特許請求の範囲】
【請求項１】
箱型で上部が開口した本体と、該本体の上部を覆う蓋と、を備え、前記本体の側壁内面に内部端子が配設され、前記本体の側壁外面に前記内部端子に接続された外部端子が配設され、引き込み線に接続される二次側リード線が前記外部端子に接続されている変圧器において、前記二次側リード線が断線した場合に電力を供給するための変圧器用仮リード体であって、
導電性で、前記本体の開口端縁に係合する係合部を有し、前記係合部が前記開口端縁に係合した状態で一端部が前記本体内に位置し他端部が前記本体外に位置する導体と、
導電性で、前記導体の一端部に接続され、前記内部端子に接続可能な接続線と、
導電性で、前記導体の他端部に接続され、前記引き込み線に接続可能な仮リード線と、
を備えることを特徴とする変圧器用仮リード体。
【請求項２】
前記本体の開口端縁に接する前記蓋の内面に、変形自在なパッキンが配設され、
前記導体は板状で、前記本体の開口端縁と前記蓋とで前記係合部が挟まれた状態で、前記パッキンの変形によって前記本体の開口端縁と前記蓋とに隙間が生じないように、前記導体の厚みが設定されている、
ことを特徴とする請求項１に記載の変圧器用仮リード体。
【請求項３】
請求項１または２のいずれか１項に記載の変圧器用仮リード体を使用した給電方法であって、
前記導体の係合部を前記本体の開口端縁に係合させ、前記接続線を前記内部端子に接続し、前記仮リード線を前記引き込み線に接続する、
ことを特徴とする給電方法。
【発明の詳細な説明】
【技術分野】
【０００１】
この発明は、変圧器の二次側リード線が断線した場合に、応急的に電力を供給するための変圧器用仮リード体および、これを使用した給電方法に関する。
【背景技術】
【０００２】
図３に示すように、変圧器１００は、箱型で上部が開口した本体１０２と、本体１０２の上部を覆う蓋１０３とを備えている。また、本体１０２の側壁内面には内部端子１０４が配設され、この内部端子１０４には、コイル（図示せず）に接続された内部リード線１０５が接続されている。一方、本体１０２の側壁外面には外部端子１０６が配設され、この外部端子１０６に二次側（低圧側）リード線１０１が接続されている。さらに、内部端子１０４と外部端子１０６とが接続されていることで、内部リード線１０５（コイル）と二次側リード線１０１とが、内部端子１０４と外部端子１０６とを介して導通接続されている。そして、二次側リード線１０１を引き込み線（低圧引き下げ、引き上げ線）に接続することで、二次側リード線１０１を介して引き込み線側（需要家側）に電力が供給されるものである。
【０００３】
このような変圧器１００の二次側リード線１０１が断線した場合、断線を改修する方法として、電線接続用のスリーブなどを用いて、断線した二次側リード線１０１に新たなリード線を接続する方法が知られている（例えば、特許文献１参照。）。
【先行技術文献】
【特許文献】
【０００４】
【特許文献１】特開平１０−２５５８６５号公報
【発明の概要】
【発明が解決しようとする課題】
【０００５】
ところで、二次側リード線１０１が、その自重や風力などによって、外部端子１０６に接続されている根元で断線してしまう場合がある。一方、特許文献１の技術では、断線した二次側リード線１０１と新たなリード線とを重ねてスリーブで圧接、接続するため、断線した二次側リード線１０１が、外部端子１０６から１０ｃｍ程度残っていなければ、新たなリード線を接続することができない。
【０００６】
従って、二次側リード線１０１が外部端子１０６の根元で断線した場合、特許文献１の技術では、新たなリード線を接続して改修を行うことができない。この結果、変圧器１００を交換するしか改修方法、電力供給方法がなく、停電状態が長期化してしまうおそれがある。
【０００７】
そこでこの発明は、変圧器の二次側リード線が根元で断線した場合であっても、確実に電力を供給することを可能にする変圧器用仮リードおよび給電方法を提供することを目的とする。
【課題を解決するための手段】
【０００８】
上記課題を解決するために、請求項１の発明は、箱型で上部が開口した本体と、該本体の上部を覆う蓋と、を備え、前記本体の側壁内面に内部端子が配設され、前記本体の側壁外面に前記内部端子に接続された外部端子が配設され、引き込み線に接続される二次側リード線が前記外部端子に接続されている変圧器において、前記二次側リード線が断線した場合に電力を供給するための変圧器用仮リード体であって、導電性で、前記本体の開口端縁に係合する係合部を有し、前記係合部が前記開口端縁に係合した状態で一端部が前記本体内に位置し他端部が前記本体外に位置する導体と、導電性で、前記導体の一端部に接続され、前記内部端子に接続可能な接続線と、導電性で、前記導体の他端部に接続され、前記引き込み線に接続可能な仮リード線と、を備えることを特徴とする。
【０００９】
この発明によれば、導体の係合部を本体の開口端縁に係合させ、接続線を内部端子に接続し、仮リード線を引き込み線に接続する。これにより、変圧器の内部端子と引き込み線とが、接続線と導体と仮リード線とを介して導通接続され、変圧器から引き込み線側に電力が供給可能となる。
【００１０】
請求項２の発明は、請求項１に記載の変圧器用仮リード体において、前記本体の開口端縁に接する前記蓋の内面に、変形自在なパッキンが配設され、前記導体は板状で、前記本体の開口端縁と前記蓋とで前記係合部が挟まれた状態で、前記パッキンの変形によって前記本体の開口端縁と前記蓋とに隙間が生じないように、前記導体の厚みが設定されている、ことを特徴とする。
【００１１】
請求項３の発明は、請求項１または２のいずれか１項に記載の変圧器用仮リード体を使用した給電方法であって、前記導体の係合部を前記本体の開口端縁に係合させ、前記接続線を前記内部端子に接続し、前記仮リード線を前記引き込み線に接続する、ことを特徴とする。
【発明の効果】
【００１２】
請求項１、３の発明によれば、既存の二次側リード線を利用して電力供給するものではないため、二次側リード線が根元で断線した場合であっても、確実に電力を供給することができる。しかも、導体の係合部を本体の開口端縁に係合させ、接続線を内部端子に接続し、仮リード線を引き込み線に接続するだけでよいため、容易、安全かつ迅速に電力を供給することが可能となる。この結果、二次側リード線が根元で断線しても、停電状態の長期化を回避、防止することができる。
【００１３】
請求項２の発明によれば、変圧器の本体と蓋とに隙間が生じないように、導体の厚みが設定されているため、変圧器の気密性を確保して、変圧器の機能、性能を維持することができる。
【図面の簡単な説明】
【００１４】
【図１】この発明の実施の形態に係る変圧器用仮リード体の配設状態を示す正面図である。
【図２】図１の変圧器用仮リード体を示す構成図である。
【図３】図１の変圧器用仮リード体が配設される変圧器の正面図（ａ）と、内部状態を示す図（ｂ）である。
【発明を実施するための形態】
【００１５】
以下、この発明を図示の実施の形態に基づいて説明する。
【００１６】
図１は、この発明の実施の形態に係る変圧器用仮リード体１の配設状態を示す正面図である。この変圧器用仮リード体１は、図３に示す変圧器１００の二次側リード線１０１が断線した場合に、応急的に電力を供給する（仮送電する）ためのリード体であり、主として、図２に示すように、導体２と、接続線３と、仮リード線４とを備えている。
【００１７】
ここで、変圧器１００は、図３に示すように、箱型で上部が開口した本体１０２と、この本体１０２の上部を覆う蓋１０３とを備える。また、図１に示すように、本体１０２の開口端縁１０２ａに接する蓋１０３の内面には、弾性を有し変形自在なゴムパッキン（パッキン）１０３ａが配設されている。
【００１８】
本体１０２の側壁内面には内部端子１０４が配設され、この内部端子１０４には、コイル（図示せず）に接続された内部リード線１０５が接続されている。一方、本体１０２の側壁外面には外部端子１０６が配設され、内部端子１０４と外部端子１０６とが接続板１０７を介して接続されている。ここで、垂直に延びるボルト１０８が内部端子１０４に接続され、接続板１０７の挿入孔にボルト１０８が挿入され、ボルト１０８にナット１０９が締め込まれることで、接続板１０７が取り付けられている。
【００１９】
また、外部端子１０６には二次側リード線１０１が接続され、内部リード線１０５（コイル）と二次側リード線１０１とが、内部端子１０４と接続板１０７と外部端子１０６とを介して導通接続されている。そして、二次側リード線１０１を引き込み線（低圧引き下げ、引き上げ線）に接続することで、変圧器１００から引き込み線側（需要家側）に電力が供給されるようになっている。
【００２０】
導体２は、導電性で、変圧器１００の本体１０２の開口端縁１０２ａに係合する係合部２１を有し、係合部２１が開口端縁１０２ａに係合した状態で、一端部２ａが本体１０２内に位置し、他端部２ｂが本体１０２外に位置するように形成されている。
【００２１】
具体的には、薄い帯板状の銅板で構成され、図２に示すように、略「７」字状（鉤型、フック状）に形成され、その曲げ部が係合部２１となっており、係合部２１の内側間隔Ｇは、変圧器１００の本体１０２の側壁の厚みよりもやや大きく設定されている。そして、係合部２１が開口端縁１０２ａに係合、嵌合した状態で、一端部２ａ側（短片側）が本体１０２の側壁内面に沿って下方に延び、一端部２ａが内部端子１０４の上方に位置し、他端部２ｂ側（長片側）が本体１０２の側壁外面に沿って下方に延び、他端部２ｂが外部端子１０６の上方に位置するようになっている。
【００２２】
また、図１に示すように、本体１０２の開口端縁１０２ａと蓋１０３とで係合部２１が挟まれた状態で、ゴムパッキン１０３ａの変形によって本体１０２の開口端縁１０２ａと蓋１０３とに隙間が生じないように、つまり、本体１０２と蓋１０３との密封性・気密性が確保されるように、導体２の厚みが設定されている。さらに、導体２の幅は、内部リード線１０５（コイル）側から所定の電流を流せるように設定されている。また、導体２には、その両端部２ａ、２ｂを除いて絶縁被覆が施されている。
【００２３】
このような導体２の短片側の一端部２ａに、導電性の接続線３が接続されている。すなわち、一端部２ａに第１のボルト２１が取り付けられ（例えば、溶接され）、この第１のボルト２１に螺合されたナット２２、２３で挟持されることで、接続線３の基端部が接続されている。また、この接続線３の自由端部には、Ｃ字状（爪形）のコネクタ３１が接続され、後述するようにして、このコネクタ３１を介して内部端子１０４に接続可能となっている。
【００２４】
一方、導体２の長片側の他端部２ｂに、導電性の仮リード線４が接続されている。すなわち、他端部２ｂに第２のボルト２４が取り付けられ（例えば、溶接され）、この第２のボルト２４に螺合されたナット２５、２６で挟持されることで、仮リード線４の基端部が接続されている。また、仮リード線４の自由端部は、後述するように、引き込み線に接続可能となっている。
【００２５】
ここで、接続線３と仮リード線４とには、両端部を除いて絶縁被覆が施されている。また、接続線３の長さは、後述するようにしてコネクタ３１を内部端子１０４に接続できるように設定され、仮リード線４の長さは、二次側リード線１０１の初期長（断線前の長さ）と同等の長さに設定され、引き込み線に接続できるようになっている。
【００２６】
さらに、第１のボルト２１とナット２２、２３とを覆う電気絶縁性の第１のキャップ５１と、第２のボルト２４とナット２５、２６とを覆う電気絶縁性の第２のキャップ５２とが、それぞれ着脱自在に設けられている。
【００２７】
次に、このような構成の変圧器用仮リード体１を使用した給電方法などについて説明する。
【００２８】
まず、二次側リード線１０１が断線した場合、まず、変圧器１００の蓋１０３を開けて、図１に示すように、変圧器用仮リード体１の導体２の係合部２１を本体１０２の開口端縁１０２ａに係合、装着させる。次に、接続線３を内部端子１０４に接続する。すなわち、接続線３のコネクタ３１を内部端子１０４のボルト１０８に挿入した状態でナット１０９を締め込んで、ナット１０９と接続板１０７とでコネクタ３１を挟持する。これにより、仮リード線４と内部リード線１０５（コイル）とが、導体２と接続線３と内部端子１０４とを介して接続される。
【００２９】
次に、第１のボルト２１とナット２２、２３とに第１のキャップ５１を装着し、第２のボルト２４とナット２５、２６とに第２のキャップ５２を装着して、変圧器１００の本体１０２に蓋１０３を取り付ける。その後、仮リード線４の自由端部を引き込み線に接続する。
【００３０】
このようにして、変圧器用仮リード体１を配設した状態では、変圧器１００の内部リード線１０５（コイル）側と引き込み線とが、内部端子１０４と接続線３と導体２と仮リード線４とを介して導通接続され、変圧器１００から引き込み線側（需要家側）に電力が供給可能となるものである。
【００３１】
以上のように、この変圧器用仮リード体１および給電方法によれば、既存の二次側リード線１０１を利用して電力供給するものではないため、二次側リード線１０１が根元で断線した場合であっても、確実に電力を供給することができる。しかも、導体２の係合部２１を本体１０２の開口端縁１０２ａに係合させ、接続線３を内部端子１０４に接続し、仮リード線４を引き込み線に接続するだけでよいため、容易、安全かつ迅速に電力を供給することが可能となる。
【００３２】
この結果、二次側リード線１０１が根元で断線しても、変圧器１００を取り替えることなく早期に仮送電を行い、停電時間を大幅に短縮化することができる。また、柱上活線近接作業であるため、作業に必要な人員の削減が可能となる。
【００３３】
しかも、変圧器用仮リード体１を配設しても、変圧器１００の本体１０２と蓋１０３とに隙間が生じないように、導体２の厚みが設定されているため、変圧器１００の気密性を確保して、変圧器１００の機能、性能を維持することができる。
【００３４】
また、変圧器１００を取り替えて本送電を行い、変圧器用仮リード体１による仮送電が不要になった場合には、変圧器用仮リード体１を取り外すことで変圧器用仮リード体１を再利用することができ、経済的である。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、接続線３と仮リード線４とを、ナット２２、２３、２５、２６で挟持して導体２に接続しているが、導体２に半田付けなどで接続してもよい。
【符号の説明】
【００３６】
１        変圧器用仮リード体
２        導体
２１      係合部
２ａ      一端部
２ｂ      他端部
３        接続線
４        仮リード線
５１、５２  キャップ
１００    変圧器
１０１    二次側リード線
１０２    本体
１０２ａ  開口端縁
１０３    蓋
１０３ａ  ゴムパッキン（パッキン）
１０４    内部端子
１０５    内部リード線
１０６    外部端子
【要約】      （修正有）【課題】変圧器の二次側リード線が根元で断線した場合であっても、確実に電力を供給する。【解決手段】変圧器１００の本体１０２の開口端縁１０２ａに係合する係合部２１を有し、係合部２１が開口端縁１０２ａに係合した状態で一端部２ａが本体１０２内に位置し他端部２ｂが本体１０２外に位置する導体２と、導体２の一端部２ａに接続され、変圧器１００の内部端子１０４に接続可能な接続線３と、導体２の他端部２ｂに接続され、引き込み線に接続可能な仮リード線４と、を備える。【選択図】図１【図１】
0005475162.tif 000002
【図２】
0005475162.tif 000003
【図３】
0005475162.tif 000004